(57)【要約】【課題】放送電波を用いた情報提供システムを提供する。【解決手段】情報表示装置１０は、基地局３０Ａ及びＢから発せされる放送電波を受信し、受信した放送電波に含まれるコンテンツ情報を取得する。そして、情報表示装置１０は、取得したコンテンツ情報の内、基地局３０の情報及び受信位置などの一定の条件を満たすコンテンツ情報をディスプレイ１００に表示する。さらに、情報表示装置１０は、表示したコンテンツ情報に付随して閲覧者に提供できる情報（特典情報）を有する場合、閲覧者にこの特典情報の一覧を表示する。閲覧者は、特典情報の一覧から所望の特典情報を選択し、ＩＣカード２０をＩＣカード読み書き装置１０２に近接又は取り込ませることで、選択した特典情報をＩＣカード２０に書き込むことができる。【選択図】図１
2010252200.tif 000002
【特許請求の範囲】
【請求項１】
所定の基地局から、第１の情報と、この基地局に関する基地局情報とを受信する受信手段と、
前記受信手段により受信した基地局情報と、これらの情報を受信した位置を示す受信位置情報とに基づいて、前記受信手段により受信した第１の情報の表示を許可するか否かを判断する許可手段と、
前記許可手段により許可すると判断された場合に、前記第１の情報を表示する表示手段と
を有する情報提供装置。
【請求項２】
前記許可手段により許可すると判断された場合に、前記第１の情報に対応付けられた第２の情報を出力する情報出力手段
をさらに有する請求項１に記載の情報提供装置。
【請求項３】
前記許可手段は、前記受信手段により受信されたデータファイルそれぞれについて、データファイルに対して設定された有効期限と、このデータファイルに対応付けられた基地局情報及び受信位置情報とに基づいて、表示を許可するか否かを判断する
請求項１に記載の情報提供装置。
【請求項４】
情報を受信する受信端末と、情報を表示する情報表示装置とを含む情報提供システムであって、
前記受信端末は、
所定の基地局から、第１の情報と、この基地局に関する基地局情報とを受信する受信手段と、
前記受信手段により受信した第１の情報及び基地局情報を、これらの情報を受信した位置を示す受信位置情報に対応付けて記録する受信情報記録手段と
を有し、
前記情報表示装置は、
前記受信端末から、前記受信情報記録手段に記録されている第１の情報及び基地局情報と、これらに対応付けられた受信位置情報とを取得する情報取得手段と、
前記情報取得手段により取得された基地局情報及び受信位置情報に基づいて、第１の情報の表示を許可するか否かを判断する許可手段と、
前記許可手段により許可すると判断された場合に、前記第１の情報を表示する表示手段と
を有する
情報提供システム。
【請求項５】
前記第１の情報は、コンテンツを表示させるためのデータファイルであり、
前記受信情報記録手段は、受信したデータファイル及び基地局情報の組を、それぞれの受信位置情報に対応付けて複数記録し、
前記情報取得手段は、前記受信情報記録手段により記録されているデータファイル、基地局情報及び受信位置情報の組を複数取得し、
前記許可手段は、前記情報取得手段により取得された複数の組それぞれについて、表示を許可するか否かを判断し、
前記表示手段は、前記許可手段により表示が許可されたコンテンツを一覧表示し、
前記情報表示装置は、
前記表示手段により一覧表示されたコンテンツのうち、ユーザにより選択されたコンテンツに対応する第２の情報を前記受信端末に提供する情報提供手段
をさらに有する
請求項４に記載の情報提供システム。
【請求項６】
情報受信装置が、所定の基地局から、コンテンツデータと、この基地局に関する基地局情報とを受信するステップと、
情報受信装置が、前記受信した基地局情報と、これらの情報を受信した位置を示す受信位置情報とに基づいて、前記受信したコンテンツデータの表示を許可するか否かを判断するステップと、
情報受信装置が、前記コンテンツデータの表示を許可すると判断した場合に、前記コンテンツデータを表示装置に表示させるステップと
を有する情報提供方法。
【請求項７】
所定の基地局から、コンテンツデータと、この基地局に関する基地局情報とを受信するステップと、
前記受信した基地局情報と、これらの情報を受信した位置を示す受信位置情報とに基づいて、前記受信したコンテンツデータの表示を許可するか否かを判断するステップと、
前記コンテンツデータの表示を許可すると判断した場合に、前記コンテンツデータを表示装置に表示させるステップと
をコンピュータに実行させるプログラム。
【発明の詳細な説明】
【技術分野】
【０００１】
本発明は、放送電波を用いた情報提供システムに関するものである。
【背景技術】
【０００２】
例えば、特許文献１には、マルチメディアの素材データを、ディスプレイ画面の任意の範囲に割り当て、さらに、位置、時間、及び切り替え方法を指定して表示、再生する技術が開示されている。
【先行技術文献】
【特許文献】
【０００３】
【特許文献１】特開２００８−１３４５７５号公報
【発明の概要】
【発明が解決しようとする課題】
【０００４】
放送電波を用いた情報提供システムを提供する。
【課題を解決するための手段】
【０００５】
上記目的を達成するために、本発明に係る情報提供装置は、所定の基地局から、第１の情報と、この基地局に関する基地局情報とを受信する受信手段と、前記受信手段により受信した基地局情報と、これらの情報を受信した位置を示す受信位置情報とに基づいて、前記受信手段により受信した第１の情報の表示を許可するか否かを判断する許可手段と、前記許可手段により許可すると判断された場合に、前記第１の情報を表示する表示手段とを有する。
【０００６】
好適には、前記許可手段により許可すると判断された場合に、前記第１の情報に対応付けられた第２の情報を出力する情報出力手段をさらに有する。
【０００７】
好適には、前記許可手段は、前記受信手段により受信されたデータファイルそれぞれについて、データファイルに対して設定された有効期限と、このデータファイルに対応付けられた基地局情報及び受信位置情報とに基づいて、表示を許可するか否かを判断する。
【０００８】
また、本発明に係る情報提供システムは、情報を受信する受信端末と、情報を表示する情報表示装置とを含む情報提供システムであって、前記受信端末は、所定の基地局から、第１の情報と、この基地局に関する基地局情報とを受信する受信手段と、前記受信手段により受信した第１の情報及び基地局情報を、これらの情報を受信した位置を示す受信位置情報に対応付けて記録する受信情報記録手段とを有し、前記情報表示装置は、前記受信端末から、前記受信情報記録手段に記録されている第１の情報及び基地局情報と、これらに対応付けられた受信位置情報とを取得する情報取得手段と、前記情報取得手段により取得された基地局情報及び受信位置情報に基づいて、第１の情報の表示を許可するか否かを判断する許可手段と、前記許可手段により許可すると判断された場合に、前記第１の情報を表示する表示手段とを有する。
【０００９】
好適には、前記第１の情報は、コンテンツを表示させるためのデータファイルであり、前記受信情報記録手段は、受信したデータファイル及び基地局情報の組を、それぞれの受信位置情報に対応付けて複数記録し、前記情報取得手段は、前記受信情報記録手段により記録されているデータファイル、基地局情報及び受信位置情報の組を複数取得し、前記許可手段は、前記情報取得手段により取得された複数の組それぞれについて、表示を許可するか否かを判断し、前記表示手段は、前記許可手段により表示が許可されたコンテンツを一覧表示し、前記情報表示装置は、前記表示手段により一覧表示されたコンテンツのうち、ユーザにより選択されたコンテンツに対応する第２の情報を前記受信端末に提供する情報提供手段をさらに有する。
【００１０】
また、本発明に係る情報提供方法は、情報受信装置が、所定の基地局から、コンテンツデータと、この基地局に関する基地局情報とを受信するステップと、情報受信装置が、前記受信した基地局情報と、これらの情報を受信した位置を示す受信位置情報とに基づいて、前記受信したコンテンツデータの表示を許可するか否かを判断するステップと、情報受信装置が、前記コンテンツデータの表示を許可すると判断した場合に、前記コンテンツデータを表示装置に表示させるステップとを有する。
【００１１】
また、本発明に係るプログラムは、所定の基地局から、コンテンツデータと、この基地局に関する基地局情報とを受信するステップと、前記受信した基地局情報と、これらの情報を受信した位置を示す受信位置情報とに基づいて、前記受信したコンテンツデータの表示を許可するか否かを判断するステップと、前記コンテンツデータの表示を許可すると判断した場合に、前記コンテンツデータを表示装置に表示させるステップとをコンピュータに実行させる。
【発明の効果】
【００１２】
本発明の情報提供システムは、放送電波を用いて、所望の場所で情報を提供することができる。
【図面の簡単な説明】
【００１３】
【図１】実施例１における情報提供システム１の全体構成を例示する図である。
【図２】実施例１における情報表示装置１０で動作する広告表示プログラム５を例示する図である。
【図３】基地局３０から放送されるコンテンツファイル９を例示する図である。
【図４】実施例１における広告表示プログラム５の動作（Ｓ１０）を例示するフローチャートである。
【図５】実施例２における情報提供システム２の全体構成を例示する図である。
【図６】実施例２における情報表示装置１０で動作する広告表示プログラム５２を例示する図である。
【図７】実施例２における広告表示プログラム５２の動作（Ｓ２０）を例示する図である。
【発明を実施するための形態】
【実施例１】
【００１４】
図１は、実施例１における情報提供システム１の全体構成を例示する図である。
図１に例示するように、情報提供システム１は、情報表示装置１０と、基地局３０Ａ及びＢとを含む。
情報表示装置１０は、基地局３０Ａ及びＢから発せされる放送電波を受信できるところに設置される。
なお、基地局３０Ａ及びＢから発せされる放送電波は、例えば、ＭｅｄｉａＦｌｏ（登録商標）及びＩＳＤＢ−Ｔｍｍ（Integrated Services Degital Broadcasting-Terrestrial for mobile multimedia）などの携帯端末向けの放送方式に従うものである。
【００１５】
ＭｅｄｉａＦｌｏ（登録商標）及びＩＳＤＢ−Ｔｍｍは、携帯端末向けの放送方式であり、日本において２０１１年に地上波テレビ放送がアナログからディジタルに完全移行するのに伴い、空きができるＶＨＦ帯の一部に割り当てる放送方式の候補となっている。これら両放送方式は、電波によって、ＴＶや音楽をリアルタイムに放送するモードと、数分単位の短時間の映像などのコンテンツ情報（コンテンツを表示させるためのデータファイル）を配信して携帯端末内に蓄積するモードを備えている。
本実施例では、ＭｅｄｉａＦｌｏ（登録商標）及びＩＳＤＢ−Ｔｍｍが備えるようなコンテンツ情報を携帯端末に蓄積するモードを利用しており、従来のインターネットを介したオンデマンドでのコンテンツ情報の配信ではなく、放送という新しい形態で配信されてくるコンテンツ情報を効果的に利用する。
【００１６】
このような構成において、情報表示装置１０は、基地局３０Ａ及びＢから発せされる放送電波を受信し、受信した放送電波に含まれるコンテンツ情報を取得する。そして、情報表示装置１０は、取得したコンテンツ情報の内、基地局３０の情報及び受信位置などの一定の条件を満たすコンテンツ情報をディスプレイ１００に表示する。
さらに、情報表示装置１０は、表示したコンテンツ情報に付随して閲覧者に提供できる情報（例えば、クーポンなどの特典の情報であり、以降で「特典情報」と呼ぶ）を有する場合、閲覧者にこの特典情報の一覧を表示する。閲覧者は、特典情報の一覧から所望の特典情報を選択し、ＩＣカード２０をＩＣカード読み書き装置１０２に近接又は取り込ませることで、選択した特典情報をＩＣカード２０に書き込むことができる。
なお、ＩＣカード２０は、接触型であるか、非接触型であるかを問わない。
【００１７】
図２は、実施例１における情報表示装置１０で動作する広告表示プログラム５を例示する図である。
図２に例示するように、広告表示プログラム５は、放送受信部５００、基地局特定部５０５、受信位置特定部５１０、許可部５１５、表示部５２０、特典選択部５２５、特典提供部５３０を有する。
なお、広告表示プログラム５は、ハードウェア、又はハードウェアとソフトウェアの組み合わせによって実現される。
【００１８】
放送受信部５００は、アンテナによって基地局３０から発せられる放送電波を受信し、受信した放送電波に含まれるコンテンツ情報のファイル（以降、「コンテンツファイル」と呼ぶ）を取得する。
【００１９】
コンテンツファイル９は、図３に例示するように、ファイルＩＤ９００、基地局情報（座標情報）９０２、有効期限９０４、有効地域９０６、コンテンツデータ９０８、及びクーポンデータ９１０を含む。
ファイルＩＤ９００は、コンテンツファイル９を一意に識別する情報である。
基地局情報（座標情報）９０２は、基地局３０を識別する情報であり、例えば、基地局３０の名称、ＩＤ、又は座標（緯度、経度）などである。
有効期限９０４は、コンテンツファイル９の有効期限を示す情報である。
有効地域９０６は、コンテンツファイル９を受信できる地域又は場所を座標（緯度、経度）などで示す情報である。
コンテンツデータ９０８は、映像、音声、又は文字などのマルチメディアの情報であり、例えば、広告などを表す。
クーポンデータ９１０は、コンテンツデータ９０８に付随し、閲覧者に提供できる特典情報である。なお、クーポンデータ９１０は、１つのコンテンツデータ９０８に対して、複数の特典情報を含んでもよい。
【００２０】
そして、放送受信部５００は、取得したコンテンツファイル９に含まれる有効期限９０４、有効地域９０６、及びコンテンツデータ９０８を、同じくコンテンツファイル９に含まれるファイルＩＤ９００に対応付けて許可部５１５に送信する。
また、放送受信部５００は、取得したコンテンツファイル９を基地局特定部５０５に送信する。
さらに、放送受信部５００は、取得したコンテンツファイル９に含まれるクーポンデータ９１０を、同じくコンテンツファイル９に含まれるファイルＩＤ９００に対応付けて特典情報データベース（特典情報ＤＢ）１１０に格納する。
【００２１】
基地局特定部５０５は、放送受信部５００から受信したコンテンツファイル９から基地局情報（座標情報）９０２を抽出し、抽出した基地局情報（座標情報）９０２を許可部５１５に送信する。また、これに伴って、基地局特定部５０５は、受信位置特定部５１０に受信位置を特定するように指示する。
【００２２】
受信位置特定部５１０は、基地局特定部５０５から受信位置特定の指示を受けると、ＧＰＳ(Global Positioning System)の機能を利用して情報表示装置１０の位置を表す座標（緯度、経度）を取得し、取得した情報表示装置１０の座標を許可部５１５に送信する。
なお、情報表示装置１０の座標は、あらかじめ筐体内の記憶装置（例えば、ＲＯＭ、ＲＡＭ、ハードディスク、フラッシュメモリなど）に書き込んでおいてもよい。この場合、受信位置５１０は、基地局特定部５０５から受信位置特定の指示を受けると、記憶装置から取得した情報表示装置１０の座標を許可部５１５に送信する。
【００２３】
許可部５１５は、放送受信部５００から受信したファイルＩＤ９００、有効期限９０４、有効地域９０６、及びコンテンツデータ９０８と、基地局特定部５０５から受信した基地局情報（座標情報）９０２と、受信位置特定部５１０から受信した情報表示装置１０の座標とに基づいて、３つの条件（基地局情報（座標情報）９０２が当該受信表示装置１０が受信してもよい基地局３０の情報であること、現在の日時が有効期限９０４が示す期間内であること、かつ、情報表示装置１０の座標が有効地域９０６が示す地域に含まれること）を満たすか判断し、３つの条件を満たす場合、当該コンテンツデータ９０８をファイルＩＤ９００に対応付けて、筐体内の記憶装置に書き込む。なお、上記３つの条件を満たさない場合、当該コンテンツファイル９の情報（関連するクーポンデータ９１０を含む）は、削除される。
【００２４】
表示部５２０は、許可部５１５によって筐体内の記憶装置に書き込まれたコンテンツデータ９０８を、ディスプレイ１００に表示する。
【００２５】
特典選択部５２５は、許可部５１５によってコンテンツデータ９０８がファイルＩＤ９００に対応付けられて筐体内の記憶装置に書き込まれた場合、このファイルＩＤ９００に対応付けられたクーポンデータ９１０を特典情報ＤＢ１１０から読み込み、読み込んだクーポンデータ９１０に含まれる特典情報の一覧をディスプレイ１００に表示する。そして、特典選択部５２５は、ディスプレイ１００に表示した特典情報の一覧から１つの特典情報を閲覧者に選択させる。なお、特典情報を閲覧者に選択させる方法は、特に限定されるものではなく、例えば、ディスプレイ１００のタッチ操作によって選択させてもよいし、又は情報表示装置１０が備えるボタンの操作によって選択させてもよい。
【００２６】
特典提供部５３０は、特典選択部５２５で閲覧者によって選択された特典情報をＩＣカード読み書き装置１０２を介して閲覧者が所有するＩＣカード２０に書き込む。
【００２７】
図４は、実施例１における広告表示プログラム５の動作（Ｓ１０）を例示するフローチャートである。
図４に例示するように、ステップ１００（Ｓ１００）において、放送受信部５００は、アンテナによって基地局３０から発せられる放送電波を受信し、受信した放送電波に含まれるコンテンツファイル９を取得する。
【００２８】
ステップ１１０（Ｓ１１０）において、基地局特定部５０５は、コンテンツファイル９から基地局情報（座標情報）９０２を抽出する。また、受信位置特定部５１０は、ＧＰＳの機能を利用して情報表示装置１０の座標を取得する。
【００２９】
ステップ１２０（Ｓ１２０）において、許可部５１５は、放送受信部５００で取得したコンテンツファイル９に含まれるファイルＩＤ９００、有効期限９０４、有効地域９０６、及びコンテンツデータ９０８と、基地局特定部５０５で抽出した基地局情報（座標情報）９０２と、受信位置特定部５１０で取得した情報表示装置１０の座標とに基づいて、３つの条件（基地局情報（座標情報）９０２が当該受信表示装置１０が受信してもよい基地局３０の情報であること、現在の日時が有効期限９０４が示す期間内であること、かつ、情報表示装置１０の座標が有効地域９０６が示す地域に含まれること）を満たすか判断し、３つの条件を満たす場合のみ、当該コンテンツデータ９０８の表示を許可する。
広告表示プログラム５は、コンテンツデータ９０８の表示を許可する場合は、Ｓ１３０の処理に移行し、コンテンツデータ９０８の表示を許可しない場合は、Ｓ１４０の処理に移行する。
【００３０】
ステップ１３０（Ｓ１３０）において、表示部５２０は、Ｓ１２０で表示を許可されたコンテンツデータ９０８（広告コンテンツなど）をディスプレイ１００に表示する。
【００３１】
ステップ１４０（Ｓ１４０）において、許可部５１５は、Ｓ１２０で表示を許可されなかったコンテンツデータ９０８を含むコンテンツファイル９を削除し、終了する。
【００３２】
ステップ１５０（Ｓ１５０）において、広告表示プログラム５は、Ｓ１３０で表示したコンテンツデータ９０８に関連する特典情報（クーポン情報など）があって、かつ閲覧者からその特典情報の選択（要求）があった場合は、Ｓ１６０の処理に移行し、特典情報がない場合は、終了する。
【００３３】
ステップ１６０（Ｓ１６０）において、特典提供部５３０は、Ｓ１５０で選択された特典情報をＩＣカード読み書き装置１０２を介して閲覧者が所有するＩＣカード２０に書き込む。
【００３４】
以上で説明したような構成及び動作によって、情報表示装置１０は、放送電波を発する基地局３０、又は放送電波を受信する地域若しくは場所を限定して、放送によって配信されたコンテンツ情報を閲覧者に表示することができる。さらに、閲覧者は、放送によって配信されたコンテンツ情報に特典情報が含まれる場合、情報表示装置１０のＩＣカード読み書き装置１０２を介してＩＣカード２０（携帯端末に内蔵されるものも含む）にその特典情報を取り込むことができる。
また、インターネットなどのネットワークを介してコンテンツ情報を取得する場合、多数の情報表示装置１０が一斉にコンテンツ情報の取得を始めると、ネットワークの負荷が増大し、他の通信へ悪影響が出る問題があった。本実施例における情報提供システム１は、この問題を解決するものであり、放送を利用することによって、通信負荷をかけることなく、多数の情報表示装置１０に一斉にコンテンツ情報を取得させることができる。特に、本実施例における情報提供システム１は、同時性が求められる広告情報の配信に有用である。
【実施例２】
【００３５】
図５は、実施例２における情報提供システム２の全体構成を例示する図である。
図５に例示するように、情報提供システム２は、情報表示装置１０と、携帯端末４０と、基地局３０Ａ及びＢとを含む。
携帯端末４０は、基地局Ａ及びＢから発せされる放送電波を受信する。なお、携帯端末４０は、例えば、携帯電話、ＰＤＡ、ノートＰＣなどである。
【００３６】
このような構成において、携帯端末４０は、受信した放送電波に含まれるコンテンツ情報を取得し、所得したコンテンツ情報を筐体内のＩＣチップに格納する。そして、閲覧者は、コンテンツ情報を格納した携帯端末４０を情報表示装置１０のＩＣカード読み書き装置１０２を近接させ、ＩＣチップに格納されたコンテンツ情報を情報表示装置１０に読み取らせる。
なお、携帯端末４０に格納されたコンテンツ情報を情報表示装置１０に読み取らせる手段としては、情報表示装置１０に携帯端末４０のＩＣチップを読み取らせる以外に、例えば、携帯端末４０の筐体内にある記憶装置にコンテンツ情報を格納し、この記憶装置を、筐体から取り出し、情報表示装置１０に接続して読み取らせてもよいし、又は赤外線通信などの無線通信によって携帯端末４０から情報表示装置１０にコンテンツ情報を送信してもよい。
【００３７】
情報表示装置１０は、このように読み取ったコンテンツ情報の内、基地局３０の情報及び表示位置などの一定の条件を満たすコンテンツ情報の一覧をディスプレイ１００に表示する。そして、閲覧者がディスプレイ１００に表示されたコンテンツ情報の一覧から所望のコンテンツ情報を選択すると、選択されたコンテンツ情報の詳細が表示される。
さらに、情報表示装置１０は、選択されたコンテンツ情報に付随して特典情報を有する場合、閲覧者にこの特典情報の一覧を表示する。閲覧者は、特典情報の一覧から所望の特典情報を選択し、携帯端末４０をＩＣカード読み書き装置１０２に近接させることで、選択した特典情報を携帯端末４０のＩＣチップに書き込むことができる。
【００３８】
図６は、実施例２における情報表示装置１０で動作する広告表示プログラム５２を例示する図である。
図６に例示するように、広告表示プログラム５２は、図２の広告表示プログラム５に選択部５４５を追加し、放送受信部５００をファイル取得部５３５に置換した構成となっている。
以下、本図に示された各構成のうち、図２に示された構成と異なる部分について説明する。
【００３９】
ファイル取得部５３５は、携帯端末４０のＩＣチップに格納されたコンテンツファイル９を、ＩＣカード読み書き装置１０２を介して取得する。そして、ファイル取得部５３５は、取得したコンテンツファイル９に含まれる有効期限９０４、有効地域９０６、及びコンテンツデータ９０８を、同じくコンテンツファイル９に含まれるファイルＩＤ９００に対応付けて許可部５１５に送信する。
また、ファイル取得部５３５は、取得したコンテンツファイル９を基地局特定部５０５に送信する。
さらに、ファイル取得部５３５は、取得したコンテンツファイル９に含まれるクーポンデータ９１０を、同じくコンテンツファイル９に含まれるファイルＩＤ９００に対応付けて特典情報ＤＢ１１０に格納する。
なお、ファイル取得部５３５は、取得したコンテンツファイル９が複数ある場合、取得した各コンテンツファイル９ごとに上記処理を行う。
【００４０】
表示部５４０は、許可部５１５によって筐体内の記憶装置に書き込まれたコンテンツデータ９０８が複数である場合、複数のコンテンツデータ９０８を一覧にしてディスプレイ１００に表示する。
なお、コンテンツデータ９０８の一覧の表示形式は、特に限定するものではなく、例えば、コンテンツデータ９０８を縮小した画像の一覧、又はコンテンツデータ９０８を示す題名の一覧などであればよい。
【００４１】
選択部５４５は、ディスプレイ１００に表示されたコンテンツデータ９０８の一覧から１つのコンテンツデータ９０８を閲覧者に選択させる。
なお、コンテンツデータ９０８を閲覧者に選択させる方法は、特に限定するものではなく、例えば、ディスプレイ１００のタッチ操作によって選択させてもよいし、又は情報表示装置１０が備えるボタンの操作によって選択させてもよい。
そして、選択部５４５は、閲覧者によって選択されたコンテンツデータ９０８の詳細をディスプレイ１００に表示する。このとき、選択部５４５は、選択されたコンテンツデータ９０８に対応付けれたファイルＩＤ９００を、現在の日時、基地局情報（座標情報）９０２、及び情報表示装置１０の座標に対応付けて広告効果ＤＢ１１２に格納する。
なお、コンテンツデータ９０８の詳細の表示形式は、特に限定するものではなく、例えば、コンテンツデータ９０８の拡大再生／表示などであればよい。
【００４２】
特典選択部５２５は、選択部５４５で選択されたコンテンツデータ９０８に対応付けられたファイルＩＤ９００を参照し、このファイルＩＤ９００に対応付けられたクーポンデータ９１０を特典情報ＤＢ１１０から読み込み、読み込んだクーポンデータ９１０に含まれる特典情報の一覧をディスプレイ１００に表示する。そして、特典選択部５２５は、ディスプレイ１００に表示した特典情報の一覧から１つの特典情報を閲覧者に選択させる。
【００４３】
特典提供部５３０は、特典選択部５２５で閲覧者によって選択された特典情報をＩＣカード読み書き装置１０２を介して閲覧者が所有する携帯端末４０のＩＣチップに書き込む。
【００４４】
図７は、実施例２における広告表示プログラム５２の動作（Ｓ２０）を例示する図である。
図７に例示するように、ステップ２００（Ｓ２００）において、ファイル取得部５３５は、携帯端末４０のＩＣチップに格納されたコンテンツファイル９を、ＩＣカード読み書き装置１０２を介して取得する。
【００４５】
ステップ２０５（Ｓ２０５）において、ファイル取得部５３５は、取得したコンテンツファイルから１つを選択する。
【００４６】
ステップ２１０（Ｓ２１０）において、基地局特定部５０５は、Ｓ２０５で選択されたコンテンツファイル９から基地局情報（座標情報）９０２を抽出する。また、受信位置特定部５１０は、ＧＰＳの機能を利用して情報表示装置１０の座標を取得する。
【００４７】
ステップ２１５（Ｓ２１５）において、許可部５１５は、Ｓ２０５で選択されたコンテンツファイル９に含まれるファイルＩＤ９００、有効期限９０４、有効地域９０６、及びコンテンツデータ９０８と、基地局特定部５０５で抽出した基地局情報（座標情報）９０２と、受信位置特定部５１０で取得した情報表示装置１０の座標とに基づいて、３つの条件（基地局情報（座標情報）９０２が当該受信表示装置１０が受信してもよい基地局３０の情報であること、現在の日時が有効期限９０４が示す期間内であること、かつ、情報表示装置１０の座標が有効地域９０６が示す地域に含まれること）を満たすか判断し、３つの条件を満たす場合のみ、当該コンテンツデータ９０８の表示を許可する。
広告表示プログラム５は、コンテンツデータ９０８の表示を許可する場合は、Ｓ２２５の処理に移行し、コンテンツデータ９０８の表示を許可しない場合は、Ｓ２２０の処理に移行する。
【００４８】
ステップ２２０（Ｓ２２０）において、許可部５１５は、Ｓ２１５で表示を許可されなかったコンテンツデータ９０８を含むコンテンツファイル９を削除する。
【００４９】
ステップ２２５（Ｓ２２５）において、広告表示プログラム５は、許可部５１５がＳ２００で取得された全てのコンテンツファイル９に対してＳ２１５における表示許可の処理を終了した場合は、Ｓ２３０の処理に移行し、表示許可の処理を終了していない場合は、Ｓ２０５の処理に移行する。
【００５０】
ステップ２３０（Ｓ２３０）において、表示部５４０は、Ｓ２１５で表示を許可されたコンテンツデータ９０８の一覧をディスプレイ１００に表示する。
【００５１】
ステップ２３５（Ｓ２３５）において、選択部５４５は、閲覧者によってコンテンツデータ９０８の一覧から選択されたコンテンツデータ９０８の詳細（拡大再生など）をディスプレイ１００に表示する。
【００５２】
ステップ２４０（Ｓ２４０）において、特典提供部５３０は、Ｓ２３５で選択されたコンテンツデータ９０８に付随する特典情報をＩＣカード読み書き装置１０２を介して閲覧者が所有する携帯端末４０のＩＣチップに書き込む。
【００５３】
ステップ２４５（Ｓ２４５）において、選択部５４５は、Ｓ２３５で選択されたコンテンツデータ９０８に対応付けれたファイルＩＤ９００を、現在の日時、基地局情報（座標情報）９０２、及び情報表示装置１０の座標に対応付けた情報を効果情報として広告効果ＤＢ１１２に格納する。
【００５４】
以上で説明したような構成及び動作によって、情報表示装置１０は、不特定多数の閲覧者の携帯端末４０から取り込んだコンテンツ情報を表示し、さらに、表示したコンテンツ情報に付随する特典情報を別の閲覧者に提供することができる。つまり、情報表示装置１０は、閲覧者のお勧め情報を収集した掲示板的な役割を果たすことができる。
また、情報表示装置１０の管理者は、後で広告効果ＤＢ１１２を参照することで、閲覧者によって多く選択されたコンテンツ情報が何であるか、どこの基地局３０から発信されたコンテンツ情報が多く選択されているか、情報表示装置１０の設置場所によってどのコンテンツ情報が多く選択されているかなど広告効果を調べることができる。
【実施例３】
【００５５】
情報提供システム２において、携帯端末４０は、受信した放送電波からコンテンツファイル９を取得したとき、コンテンツファイル９取得時の携帯端末４０の座標を受信位置データとして、取得したコンテンツファイル９に書き込んでもよい。
この場合、広告表示プログラム５２の許可部５１５は、コンテンツデータ９０８の表示許可の条件を、３つの条件（基地局情報（座標情報）９０２が当該受信表示装置１０が受信してもよい基地局３０の情報であること、現在の日時が有効期限９０４が示す期間内であること、かつ、情報表示装置１０の座標が有効地域９０６が示す地域に含まれること）に、さらに１つの条件（受信位置データ（コンテンツファイル９取得時の携帯端末４０の座標）が有効地域９０６が示す地域に含まれること）を追加したものとしてもよい。
また、広告表示プログラム５２の選択部５４５は、選択されたコンテンツデータ９０８に対応付けれたファイルＩＤ９００を、現在の日時、基地局情報（座標情報）９０２、及び情報表示装置１０の座標を対応付けたものに、さらに受信位置データを対応付けて広告効果ＤＢ１１２に格納してもよい。
【符号の説明】
【００５６】
１・・・情報提供システム（実施例１）
２・・・情報提供システム（実施例２）
５・・・広告表示プログラム（実施例１）
１０・・・情報表示装置
２０・・・ＩＣカード
３０・・・基地局
４０・・・携帯端末
５２・・・広告表示プログラム（実施例２）
１００・・・ディスプレイ
１０２・・・ＩＣカード読み書き装置
１１０・・・特典情報ＤＢ
１１２・・・広告効果ＤＢ
５００・・・放送受信部
５０５・・・基地局特定部
５１０・・・受信位置特定部（表示位置特定部）
５１５・・・許可部
５２０・・・表示部
５２５・・・特典選択部
５３０・・・特典提供部
５３５・・・ファイル取得部
９００・・・ファイルＩＤ
９０２・・・基地局情報（座標情報）
９０４・・・有効期限
９０６・・・有効地域
９０８・・・コンテンツデータ
９１０・・・クーポンデータ
【図１】
2010252200.tif 000003
【図２】
2010252200.tif 000004
【図３】
2010252200.tif 000005
【図４】
2010252200.tif 000006
【図５】
2010252200.tif 000007
【図６】
2010252200.tif 000008
【図７】
2010252200.tif 000009